(57)【要約】【課題】リールを利用したリアリティのある演出を実行可能な遊技機を提供すること。【解決手段】表示窓を備えた筐体と、前記筐体内に設置され、周面に複数の図柄が描かれ、前記表示窓を介して前方から図柄を視認可能な態様で回転する図柄表示リールと、前記筐体内に設置され、周面に複数の図柄が描かれた、前記図柄表示リールとは別の待機リールと、所定のタイミングで、前記表示窓を介して前方から図柄を視認可能な態様で回転するリールを、前記図柄表示リールから、前記待機リールに交換する交換装置とを備えたことを特徴とする遊技機。【選択図】図１
2009005917.tif 000002
【特許請求の範囲】
【請求項１】
表示窓を備えた筐体と、
前記筐体内に設置され、周面に複数の図柄が描かれ、前記表示窓を介して前方から図柄を視認可能な態様で回転する図柄表示リールと、
前記筐体内に設置され、周面に複数の図柄が描かれた、前記図柄表示リールとは別の待機リールと、
所定のタイミングで、前記表示窓を介して前方から図柄を視認可能な態様で回転するリールを、前記図柄表示リールから、前記待機リールに交換する交換装置と
を備えたことを特徴とする遊技機。
【請求項２】
前記図柄表示リールは、モータの回転軸に取り付けられる一方、前記待機リールは、モータの回転軸に取り付けられておらず、
前記交換装置は、前記図柄表示リールを、前記モータの回転軸から取り外す一方、前記待機リールを、前記モータの回転軸に取り付けることにより、リールの交換を行うことを特徴とする請求項１に記載の遊技機。
【発明の詳細な説明】
【技術分野】
【０００１】
本発明は、例えば、パチスロ遊技装置、スロットマシン等の遊技機に関する。
【背景技術】
【０００２】
パチスロ遊技装置は、通常、複数の図柄が周面に描かれた複数のリールが回転可能に設けられており、複数の識別情報を変動表示した後に停止表示し、停止表示された識別情報の組合せに応じた数の遊技媒体の払出を行うものである。パチスロ遊技装置の中には、遊技結果を決定するためのリール以外にも、演出用のリールを備えており、逆回転や、回転速度の変化による演出を行うものが存在する。しかしながら、リールの回転態様による演出パターンには限りがあり、リールを用いた新たな態様の演出の登場が求められていた。
【０００３】
従来の遊技機には、画像の表示装置に、リールを表すリール画像を回転態様で表示することにより図柄をスクロール表示し、所定の条件が成立した場合に、そのリール画像を別の画像に変更する遊技機が存在する（例えば、特許文献１〜７）。
【０００４】
【特許文献１】特開２００６−４３１２７号公報
【特許文献２】特開２００６−４３１３３号公報
【特許文献３】特開２００６−４３１３４号公報
【特許文献４】特開２００６−４３１３７号公報
【特許文献５】特開２００６−４３１３９号公報
【特許文献６】特開２００６−４３１４３号公報
【特許文献７】特開２００６−５５３６１号公報
【発明の開示】
【発明が解決しようとする課題】
【０００５】
しかしながら、特許文献１〜７に記載の遊技機では、画面内でリールが変わるだけであり、演出としてはリアリティがないという問題があった。また、画像でのリール交換は経緯が見えないため、演出として面白みに欠けるという問題があった。このような点から、リールを利用したリアリティのある演出の登場が求められていた。
【０００６】
本発明は、上述した課題に鑑みてなされたものであり、その目的は、リールを利用したリアリティのある演出を実行可能な遊技機を提供することにある。
【課題を解決するための手段】
【０００７】
以上のような目的を達成するために、本発明は、以下のようなものを提供する。
表示窓を備えた筐体と、
前記筐体内に設置され、周面に複数の図柄が描かれ、前記表示窓を介して前方から図柄を視認可能な態様で回転する図柄表示リールと、
前記筐体内に設置され、周面に複数の図柄が描かれた、前記図柄表示リールとは別の待機リールと、
所定のタイミングで、前記表示窓を介して前方から図柄を視認可能な態様で回転するリールを、前記図柄表示リールから、前記待機リールに交換する交換装置と
を備えたことを特徴とする遊技機。
【０００８】
本発明によれば、所定のタイミングで、遊技者が図柄を視認し得るリールが、図柄表示リールから、待機リールに実際に入れ替わることになる。遊技者にその過程を見せることにより、リールを用いたリアリティのある演出を行うことができる。
【０００９】
また、本発明は、以下の構成を備えることも望ましい。
前記図柄表示リールは、モータの回転軸に取り付けられる一方、前記待機リールは、モータの回転軸に取り付けられておらず、
前記交換装置は、前記図柄表示リールを、前記モータの回転軸から取り外す一方、前記待機リールを、前記モータの回転軸に取り付けることにより、リールの交換を行うことを特徴とする。
【発明の効果】
【００１０】
本発明の遊技機によれば、リールを利用したリアリティのある演出を実行することができる。
【発明を実施するための最良の形態】
【００１１】
（パチスロ遊技装置１の機械的構成）
図１は、本発明のパチスロ遊技装置を模式的に示す斜視図である。
図２は、ミニゲームを模式的に示す説明図である。
パチスロ遊技装置１は、複数の図柄の変動表示を入賞ライン上に停止して表示される図柄（識別情報）に基づいて特定の入賞態様が成立するように、遊技者の操作の検知により変動表示を停止可能に構成されている。
パチスロ遊技装置は、コインやメダル、遊技球等の他、遊技者に付与された、若しくは付与される遊技価値の情報を記憶したカード等の遊技媒体を用いて遊技するものであるが、以下の説明においては、遊技媒体としてメダルを用いて説明する。なお、本発明において、遊技媒体は、所謂クレジット（遊技価値）を含むものである。
【００１２】
図１に示すように、パチスロ遊技装置１は、その全体を形成している筐体であるキャビネット２を有している。キャビネット２の正面には、液晶表示装置５が設置されている。液晶表示装置５は、後述する３個の遊技リール３Ｌ・３Ｃ・３Ｒと同期する疑似リール４Ｌ・４Ｃ・４Ｒや、キャラクタ等による演出画像等を表示することが可能となっている。尚、液晶表示装置５については後に詳述する。
【００１３】
液晶表示装置５の下方には、斜め上方に開口したリール表示窓２ａが形成されている。リール表示窓２ａの奥には、３個の遊技リール３Ｌ・３Ｃ・３Ｒが設けられている。遊技リールは、本発明における図柄表示リールに相当する。３個の遊技リール３Ｌ・３Ｃ・３Ｒは、それぞれその外周面に複数の図柄からなる図柄列が記されている。図柄列は、「００」〜「２０」のコードナンバーが付された複数種類の図柄からなっている。具体的には、「赤７」、「青７」、「下チリ」、「ベル」、「スイカ」、「チェリー」、「Ｒｅｐｌａｙ」及び「上チリ」の図柄からなっている。各遊技リールは、定速回転（例えば８０回転／分）で回転する。上記の図柄列中における「赤７」、「青７」は、特定の入賞態様を構成するものとして設定されている。ここで、特定の入賞態様とは、後述のＢＢ（ビッグボーナス）やＲＢ（レギュラーボーナス）のボーナスが成立する入賞態様を意味する。
【００１４】
遊技リール３Ｌ・３Ｃ・３Ｒの各図柄は、図２に示すように、キャビネット２の正面から縦方向に３つずつ、合計９つの図柄が視認できるようになっている。また、視認可能な９つの図柄の停止位置に対応して、５本の入賞ラインが設定されている。即ち、上下方向に３つ並ぶ図柄を水平に横切るトップライン８ｂ、センターライン８ｃ及びボトムライン８ｄ、斜め方向に横切るクロスダウンライン８ａ、クロスアップライン８ｅが設けられている。これら各入賞ラインは、遊技者に視認可能に表示してもよいし、表示しなくてもよい。
【００１５】
これらの入賞ラインは、後述の１−ＢＥＴボタン１１、最大ＢＥＴボタン１２を操作すること、或いはメダル投入口２２にメダルを投入することにより、１枚賭け時は１本（センターライン８ｃのみ）、２枚賭け時（１−ＢＥＴボタン１１を２回操作（押圧）又は、メダルを２枚投入）は３本（センターライン８ｃに加え、センターライン８ｂ、ボトムライン８ｄ）、最大枚数（本実施例では３枚）賭け時は５本（２枚賭け時の３本に加え、クロスダウンライン８ａ、クロスアップライン８ｅ）が有効化される。入賞ライン８ａ〜８ｅは、役の入賞の成否に関わる。具体的には、所定の役に対応する図柄組合せを構成する図柄が何れかの有効化された入賞ラインに対応する所定の位置に並んで停止表示されることにより、所定の役の入賞が成立することとなる。以下の説明において、有効化された入賞ラインを有効ラインという場合がある。
【００１６】
図１に示すように、リール表示窓２ａの左側には、払出枚数及びクレジット数を表示する表示部１７が設けられている。表示部１７は、７セグメント表示器からなり、最大４桁の数値が表示される。そして、左側２桁部分には、貯留されているメダルの枚数（クレジット数）が表示され、右側２桁部分には、入賞成立時のメダルの払出枚数が表示される。
【００１７】
表示部１７の右側には、メダル投入ランプ１８、１−ＢＥＴランプ９ａ、２−ＢＥＴランプ９ｂ及び最大ＢＥＴランプ９ｃが設けられている。メダル投入ランプ１８は、メダルの投入が受け付け可能であるときに点滅する。１−ＢＥＴランプ９ａ、２−ＢＥＴランプ９ｂ及び最大ＢＥＴランプ９ｃは、一のゲーム（単位遊技）を行うために賭けられたメダルの数（以下、ＢＥＴ数ともいう）に応じて点灯する。尚、一のゲームは、全ての遊技リールが停止したとき、又は、メダルの払い出しが行われる場合には、メダルが払い出されたときに終了する。
【００１８】
また、表示部１７の左側には、遊技開始表示ランプ１９及びリプレイランプ２０が設けられている。遊技開始表示ランプ１９は、入賞ライン８ａ〜８ｅの少なくとも１本が有効化されたときに点灯する。リプレイランプ２０は、後述の「リプレイ」に入賞したときに点灯する。即ち、リプレイランプ２０が点灯している場合は、メダルを投入することなく、ゲームを開始できる。
【００１９】
リール表示窓２ａ及び表示部１７の下方には、水平面を有する台座部１０が配置されている。台座部１０の左側には、１−ＢＥＴボタン１１及び最大ＢＥＴボタン１２が設けられている。１−ＢＥＴボタン１１は、１回の押し操作により、クレジットされているメダルのうちの１枚をゲームへの賭け枚数とし、２回の押し操作により、クレジットされているメダルのうちの２枚をゲームへの賭け枚数とする。最大ＢＥＴボタン１２は、１回のゲームに賭けることが可能な最大枚数（本実施例では、３枚）をゲームへの賭け枚数とする。このＢＥＴボタン１１・１２を操作することで、上述の入賞ライン８ａ〜８ｅが有効化されるようになっている。
【００２０】
また、台座部１０の前面部の左寄りには、遊技者が遊技で獲得したメダルのクレジット／払い出しを押し操作により切り換える貯留メダル精算ボタン１４（以下、Ｃ／Ｐボタン１４と言う）が設けられている。このＣ／Ｐボタン１４の切り替えにより「払い出し」が選択された場合には、正面下部のメダル払出口１５からメダルが払い出され、払い出されたメダルはメダル受部１６に溜められる。一方、「クレジット」が選択された場合には、パチスロ遊技装置１が備えるメモリ（例えば、後述するＲＡＭ３３等）にメダル数がクレジットとして記憶される。
【００２１】
Ｃ／Ｐボタン１４の右側には、遊技者の操作により遊技リール３Ｌ・３Ｃ・３Ｒを回転させるためのスタートレバー６が所定の角度範囲で回動自在に取り付けられている。台座部１０の前面部中央には、３個の遊技リール３Ｌ・３Ｒ・３Ｃの回転をそれぞれ停止させるための３個の停止ボタン７Ｌ・７Ｃ・７Ｒが設けられている。台座部１０の右側には、メダル投入口２２が設けられている。
【００２２】
台座部１０の下方には、メダルを貯留するメダル受部１６が配置されている。メダル受部１６の略中央部には、メダル払出口１５が配置されている。メダル払出口１５の側方には、スピーカ２１Ｂが配置されている。
【００２３】
メダル受部１６と台座部１０との間には、腰部パネル２３が設けられている。腰部パネル２３には、所定のジャンルの画像や所定の遊技テーマの画像が形成されている。具体的には、サッカーのジャンルやテーマを遊技者に連想させる名称である『world soccer』の文字画像と背景画像とを備えた遊技テーマの画像が形成されている。尚、ジャンルや遊技テーマは、サッカーに限定されるものではなく、野球や食べ物、景色、祭り、漫画の主人公や物語等であってもよい。また、本実施形態においては、腰部パネル２３に所定のジャンルやテーマの画像を表示しているが、キャビネット２の露出面に表示されていてもよい。
【００２４】
また、キャビネット２の上方の左右には、スピーカ２１Ｌ・２１Ｒが設けられている。スピーカ２１Ｌ・２１Ｒの間には、リール表示窓２９が設けられており、リール表示窓２９の裏側には、鉢巻リール２８が回転可能に設けられている。鉢巻リール２８は、演出用リールであり、本実施形態では、スタートレバー６の操作タイミングで回転を開始した後、所定のタイミングで、内部当籤役に応じた識別情報で停止表示される。
【００２５】
次に、液晶表示装置５の構造について説明する。液晶表示装置５は、保護ガラスと表示板とからなる正面パネル、透明液晶パネル、導光板、反射フィルム、所謂白色光源である蛍光ランプ、ランプホルダ、及び、透明液晶パネル駆動用のＩＣを搭載したテーブルキャリアパッケージ（ＴＣＰ）からなり、ＴＣＰは、透明液晶パネル５４の端子部に接続したフレキシブル基板（図示せず）等により構成される。
【００２６】
保護ガラス及び表示板は、透明な部材で構成されている。表示板の裏面側には、各種ランプ及び各種表示部を動作させる電気回路等配置される（図示せず）。透明液晶パネルは、薄膜トランジスタ層が形成されたガラス板等の透明な基板と、これに対向する透明な基板との間隙部に液晶が封入されて形成されている。この透明液晶パネルの表示モードは、ノーマリーホワイトに設定されている。ノーマリーホワイトとは、液晶を駆動していない状態で白表示（表示面側に透過した光が外部より視認可能である）となる構成である。
【００２７】
導光板は、蛍光ランプからの光を透明液晶パネルへ導き出す（透明液晶パネルを照明する）ためのものであり、透明液晶パネルの裏側に設けられ、例えば、２ｃｍ程度の厚さを有するアクリル系樹脂等の透明部材（導光機能を有する）で構成されている。
【００２８】
反射フィルムは、例えば、白色のポリエステルフィルムやアルミ薄膜に銀蒸着膜を形成したものが用いられ、導光板に導入された光を導光板の正面側へ向けて反射させる。この反射フィルムは、反射領域及び非反射領域（透過領域）により構成されている。
【００２９】
蛍光ランプは、導光板の上端部及び下端部に沿って配置され、両端はランプホルダにより支持されている。この蛍光ランプから照射される光は、反射フィルムの反射領域で反射して透明液晶パネルを照明する。
【００３０】
パチスロ遊技装置１では、液晶表示装置５の一部の領域のみが、透明／非透明の状態に切り替わる領域であるが、本発明のパチスロ遊技装置において、液晶表示装置の表示画面は、その全領域が透明／非透明の状態に切り替わる領域であってもよい。この場合、パチスロ遊技装置１において、液晶表示装置５の全領域を透過状態又は非透過状態に切り替わる領域とする場合、反射フィルムを全て非反射領域とするか、反射フィルムを省略すればよい。
【００３１】
（パチスロ遊技装置１内部の機械的構成）
図３は、キャビネット２の扉体が開いた状態を模式的に示す斜視図である。
キャビネット２は、前面に開口を有する矩形箱状の筐体２５と、筐体２５の一側辺（図中、左辺）に開閉可能に支持された扉体２４とからなり、扉体２４には、図１及び図２に示したように、上側から、リール表示窓２９、液晶表示装置５、リール表示窓２ａが設けられている。
【００３２】
筐体２５には、リール表示窓２９に対応する位置に、第１中底板２５ａが設置されている。第１中底板２５ａ上には、２つの鉢巻リール２８（２８ａ、２８ｂ）を含む鉢巻リールの駆動機構が設置されている。
【００３３】
図３に示す例において、鉢巻リール２８ａは、リール表示窓２９を介して図柄が視認可能となる位置に設けられており、本発明における図柄表示リールに相当する。一方、鉢巻リール２８ｂは、リール表示窓２９を介して図柄が視認可能とならない位置に設けられており、本発明における待機リールに相当する。鉢巻リールの駆動機構については、後で図４〜図６を用いて詳述することにする。
【００３４】
また、筐体２５には、リール表示窓２ａの裏面側に、第２中底板２５ｂが設置されている。第２中底板２５ｂ上には、手前側に３つの遊技リール３Ｌ、３Ｃ、３Ｒが配置され、その奥側には、３つの遊技リール３ａ、３ｂ、３ｃが配置されている。
【００３５】
図３に示す例において、遊技リール３Ｌ、３Ｃ、３Ｒは、リール表示窓２ａを介して図柄が視認可能となる位置に設けられており、本発明における図柄表示リールに相当する。一方、遊技リール３ａ、３ｂ、３ｃは、リール表示窓２ａを介して図柄が視認可能とならない位置に設けられており、本発明における待機リールに相当する。遊技リールの駆動機構については、後で図７〜図８を用いて詳述することにする。
【００３６】
（鉢巻リールの駆動機構の機械的構成）
図４は、鉢巻リールの駆動機構を模式的に示す平面図である。図５は、図４に示した駆動機構の側面図である。図６は、図４に示した駆動機構の鉢巻リールを移動するときの様子を示す側面図である。
【００３７】
図４に示すように、筐体２５内に設置された第１中底板２５ａ上には、３つのリール設置台１１０Ｌ、１１０Ｃ、１１０Ｒと、鉢巻リール交換装置１００とが設置されている。
鉢巻リール交換装置１００は、基台１０１と、基台１０１に設置され、上下方向に往復昇降が可能に構成された昇降部１０２と、昇降部１０２上を軸として水平方向に延設され、左右方向に所定範囲で旋回可能に構成された旋回アーム１０３と、旋回アーム１０３の先端に設けられた把持部１０４（図５参照）とを備えている。把持部１０４によって鉢巻リール２８ｂが把持され、その状態で昇降部１０２の上昇が行われると、鉢巻リール２８ｂは、図６に示すように、持ち上げられることになる。
【００３８】
３つのリール設置台１１０Ｌ、１１０Ｃ、１１０Ｒは、旋回アーム１０３の旋回範囲において、互いに等間隔をあけて設置されており、中央のリール設置台１１０Ｃには、ステッピングモータ５９が設けられ、ステッピングモータ５９の回転軸５９ａには、鉢巻リール２８ｂが設置されている。
図４に示す例において、鉢巻リール２８ｂは、リール表示窓２９を介して図柄が視認可能な位置に設置されており、本発明における図柄表示リールに相当する。
【００３９】
リール設置台１１０Ｃの左右両側には、リール設置台１１０Ｌ、１１０Ｒが設置されている。リール設置台１１０Ｌ、１１０Ｒには、ステッピングモータ５９は設けられておらず、固定軸１１１（１１１Ｌ、１１１Ｒ）が設けられている。回転軸５９ａと、固定軸１１１とは、側面に１本の直線状の突条が形成された円柱軸であり、突条によって、図柄の位置が特定されるように構成されている。固定軸１１１Ｒには、鉢巻リール２８ａが設置されている。
【００４０】
鉢巻リール２８の交換が行われるときには、リール設置台１１０Ｃに設置された鉢巻リール２８ｂが、リール設置台１１０Ｌに移動し（図中、太矢印方向）、その後、リール設置台１１０Ｒに設置された鉢巻リール２８ａが、リール設置台１１０Ｃに移動する（図中、二点差線の白抜き矢印方向）。この処理は、鉢巻リール交換装置１００によって行われる。鉢巻リール交換装置１００の電気的構成、及び、鉢巻リール交換処理については、後で詳述することにする。
【００４１】
（遊技リールの駆動機構の機械的構成）
図７は、遊技リールの駆動機構を模式的に示す平面図である。図８は、図７に示した駆動機構の側面図である。
筐体２５の前面（図中、下側）に設けられた扉体２４の前面には、３つのリール表示窓２ａが設けられている。筐体２５の第２中底板２５ｂ上には、リール表示窓２ａに対応する位置に、３つの遊技リール３Ｌ、３Ｃ、３Ｒが横並びに配置されている。夫々の側方には、ステッピングモータ４９Ｌ、４９Ｃ、４９Ｒが設置されている。各遊技リール３は、各ステッピングモータ４９に取り付けられており、ステッピングモータ４９によって所定方向に回転駆動される。
遊技リール３Ｌ、３Ｃは、ステッピングモータ４９Ｌ、４９Ｃに固定されて取り付けられている一方、遊技リール３Ｒは、ステッピングモータ４９Ｒに着脱可能に取り付けられている。本実施形態において、遊技リール３Ｌ、３Ｃ、３Ｒは、図柄表示リールに相当するものであり、そのうち、遊技リール３Ｒが、後述する待機リールとの交換が可能な図柄表示リールである。
【００４２】
遊技リール３Ｒの側方（図中、右側）には、リール載置台２１０Ｆが設けられている。リール載置台２１０Ｆには、ステッピングモータ４９Ｒから取り外された遊技リールが載置される。リール載置台２１０Ｆの側方（図中、右側）には、リール着脱装置２５０が設置されている。リール着脱装置２５０は、先端に把持部２５３を備えた４本の延長アーム２５２と、回転部２５１とを備えている。
【００４３】
延長アーム２５２の先端に設けられた把持部２５３は、所定範囲で往復動（図中、矢印Ｒ方向）可能に構成されており、遊技リール３Ｒ、又は、リール載置台２１０Ｆに載置された遊技リールのシャフト部分を回転しないように把持固定することができる。また把持固定した状態で、延長アーム２５２の伸長又は縮退を行うことにより（図中、矢印Ｐ方向）、遊技リール３Ｒをリール載置台２１０Ｆ上に移動させるか、又は、リール載置台２１０Ｆ上に載置された遊技リール３を、ステッピングモータ４９Ｒの回転軸に取り付けることができる。回転部２５１は、遊技リール３Ｒ、又は、リール載置台２１０Ｆに載置された遊技リール３のシャフト部分に向けて延長するように構成されるとともに（図中、矢印Ｐ方向）、先端に設けられたドライバー部分が回転するように構成されている（図中、矢印Ｑ方向）。
【００４４】
筐体２５内において、遊技リール３Ｌ、３Ｃ、３Ｒの奥側には、リール載置台２１０Ｂが設置されている。リール載置台２１０Ｂは、横並びに４つの遊技リール３が載置され得るように構成されている。そのうち、最も右側の１つ以外の３箇所には、３つの遊技リール３ａ、３ｂ、３ｃが載置されている。本実施形態において、遊技リール３ａ、３ｂ、３ｃは、待機リールに相当するものである。図中、３ａ′、３Ｒ′は、夫々、遊技リール３ａ、３Ｒの螺子頭を示す。
【００４５】
筐体２５の第１中底板２５ａの裏面には、リール搬送装置２００が設けられている。リール搬送装置２００には、その下面に、左右方向に２本のレール２００ａが設けられており、レール２００ａに沿って左右方向（図７、矢印Ｓ方向）に移動可能な移動棹２０１が設けられている。移動棹２０１には、その下面に、前後方向に１本のレール２０１ａが設けられており、レール２０１ａに沿って前後方向に移動可能なモータボックス２２０が設けられている。
【００４６】
モータボックス２２０には、下方に伸びる昇降アーム２２１が設けられ、昇降アーム２２１の下端には、水平方向に伸びる水平アーム２２２が設けられている。昇降アーム２２１は、上下方向に伸縮可能であり（図８、矢印Ｖ方向）、昇降アーム２２１の伸縮に伴って、水平アーム２２２は、上下方向に移動する。水平アーム２２２の先端には、図７に示すように、４つの把持部２２３が設けられている。
【００４７】
把持部２２３は、所定範囲で往復動（図７、矢印Ｕ方向）可能に構成されており、遊技リール３の把持固定が可能である。また、把持固定した状態で、昇降アーム２２１を上昇及び移動させることにより、遊技リールの搬送が可能である。
【００４８】
遊技リール３の交換が行われるときには、リール着脱装置２５０により、図柄表示リールである遊技リール３Ｒの取り外しが行われ、次に、リール搬送装置２００により、遊技リール３Ｒの退避が行われる。次に、リール搬送装置２００により、待機リールである遊技リール３の搬送が行われ、次に、リール着脱装置２５０により、遊技リール３の取付が行われる。リール搬送装置２００及びリール着脱装置２５０の電気的構成、及び、遊技リール交換処理については、後で詳述することにする。
【００４９】
（パチスロ遊技装置１の電気的構成：主制御回路７１）
パチスロ遊技装置１は、図９に示すように、主基板に設けられた主制御回路７１と、副基板に設けられた副制御回路７２とで動作が制御されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、ＲＯＭ３２及びＲＡＭ３３とを有している。
【００５０】
ＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽籤テーブルに基づいて、内部当籤役を決定するようになっている。
【００５１】
尚、マイクロコンピュータ３０内で、即ち、ＣＰＵ３１の動作プログラム上で乱数サンプリングを実行するように構成してもよい。その場合、乱数発生器３６及びサンプリング回路３７は省略可能であり、或いは、乱数サンプリング動作のバックアップ用として残しておくことも可能である。
【００５２】
上記のマイクロコンピュータ３０からの制御信号により動作が制御される主要なアクチュエータとしては、各種ランプ（１−ＢＥＴランプ９ａ、２−ＢＥＴランプ９ｂ、最大ＢＥＴランプ９ｃ、メダル投入ランプ１８、遊技開始表示ランプ１９、リプレイランプ２０）と、表示部１７と、メダルを収納し、ホッパー駆動回路４１の命令により所定枚数のメダルを払出す上述のホッパー（払出しのための駆動部を含む）４０と、遊技リール３Ｌ・３Ｃ・３Ｒを回転駆動するステッピングモータ４９Ｌ・４９Ｃ・４９Ｒとがある。
【００５３】
さらに、ステッピングモータ４９Ｌ・４９Ｃ・４９Ｒを駆動制御するモータ駆動回路３９、ホッパー４０を駆動制御するホッパー駆動回路４１、各種ランプを駆動制御するランプ駆動回路４５、及び表示部１７を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００５４】
また、主制御回路７１は、制御指令を発生するために必要な入力信号を発生する入力信号発生装置に接続されている。主な入力信号発生装置としては、スタートスイッチ６Ｓ、１−ＢＥＴスイッチ１１Ｓ、最大ＢＥＴスイッチ１２Ｓ、Ｃ／Ｐスイッチ１４Ｓ、リール停止信号回路４６、リール位置検出回路４７、払出完了信号回路４４がある。これらもＩ／Ｏポート３８を介してＣＰＵ３１に接続されている。
【００５５】
スタートスイッチ６Ｓは、スタートレバー６の操作を検出する。リール停止信号回路４６は、各停止ボタン７Ｌ・７Ｃ・７Ｒの操作に応じて停止信号を発生する。リール位置検出回路４７は、リール回転センサからのパルス信号を受けて各遊技リール３Ｌ・３Ｃ・３Ｒの位置を検出するための信号をＣＰＵ３１へ供給する。払出完了信号回路４４は、メダル検出部４０Ｓの計数値（ホッパー４０から払出されたメダルの枚数）が指定された枚数データに達した時、メダル払出完了を検知するための信号を発生する。
【００５６】
また、主制御回路７１のＲＡＭ３３には、種々の情報が一時的に格納される。例えば、実行中の遊技状態や、投入されたメダルの枚数等、累積ポイント数が格納される。ここで、累積ポイント数は、遊技を遊技者とって有利に進めることを可能にするポイントの合計数であり、ボーナス遊技状態における単位遊技でチェリーに入賞したときに発生する１ポイントの合計数である。
【００５７】
一方、主制御回路７１のＲＯＭ３２には、スタートレバー６を操作（スタート操作）する毎に行われる乱数サンプリングの判定に用いられる確率抽籤テーブル、停止ボタンの操作に応じて遊技リールの停止態様を決定するための停止テーブル群等の各種のデータテーブルや、副制御回路７２へ送信するための各種制御指令（コマンド）等が格納されている。
【００５８】
また、このように構成された主制御回路７１は、外部集中端子板８９に接続されている。外部集中端子板８９は、ホールコンピュータ（図示せず）等との間でデータ通信を可能にしている。尚、外部集中端子板８９は、無線通信及び有線通信の両方の通信形態が選択可能になっている。尚、無線通信の形態としては、電波による形態の他、赤外線等による形態がある。
【００５９】
（パチスロ遊技装置１の電気的構成：副制御回路７２）
図１０は、副制御回路のブロック図である。
主制御回路７１は、副制御回路７２にコマンドや情報等を一方向に出力可能に接続されている。副制御回路７２は、図１０に示すように、主制御回路７１からの制御指令（コマンド）に基づいて液晶表示装置５の表示制御及びスピーカ２１Ｌ・２１Ｒからの音の出力制御を行なう。更に、鉢巻リール２８の回転制御処理、鉢巻リール２８の交換処理、及び、遊技リール３の交換処理を行う。この副制御回路７２は、主制御回路７１を構成する主基板とは別の副基板上に構成され、マイクロコンピュータ（以下『サブマイクロコンピュータ』という）７３を主たる構成要素とし、液晶表示装置５の画像制御回路８１と、スピーカ２１Ｌ・２１Ｒにより出音される音を制御する音源ＩＣ７８と、増幅器としてのパワーアンプ７９と、外部集中端子板８９に接続された通信部８８とを備えている。更に、鉢巻リール２８の回転制御処理を行うためのモータ駆動回路６９、ステッピングモータ５９及びリール位置検出回路６７と、鉢巻リール２８の交換処理を行うための鉢巻リール交換装置１００と、遊技リール３の交換処理を行うためのリール着脱装置２５０及びリール搬送装置２００とを備えている。鉢巻リール交換装置１００、リール着脱装置２５０及びリール搬送装置２００は、所定のタイミングで副制御回路７２から出力される指令信号に基づいて動作する。
【００６０】
サブマイクロコンピュータ７３は、主制御回路７１から送信された制御指令に従って制御動作を行なうサブＣＰＵ７４と、プログラムＲＯＭ７５と、ワークＲＡＭ７６とを含む。尚、副制御回路７２は、クロックパルス発生回路、分周器、乱数発生器及びサンプリング回路を備えていないが、サブＣＰＵ７４の動作プログラム上で乱数サンプリングを実行するように構成されている。この乱数サンプリングにより、ＣＳ、ＮＳ等を発生させるかどうかが決定される。プログラムＲＯＭ７５は、サブＣＰＵ７４で実行するコマンド処理ルーチン等の制御プログラムを格納している。また、ワークＲＡＭ７６は、上記制御プログラムをサブＣＰＵ７４で実行するときの一時記憶手段として構成される。
【００６１】
サブＣＰＵ７４は、モータ駆動回路６９に駆動信号を送信し、モータ駆動回路６９は、駆動信号に基づいてステッピングモータ５９を駆動し、これにより、鉢巻リール２８を回転させる。サブＣＰＵ７４は、主制御回路７１から、スタートスイッチ６Ｓからの入力に基づいて決定される内部当籤役を示すデータを受信すると、所定の数値範囲内で乱数サンプリングを行い、プログラムＲＯＭ７５に格納された確率テーブルを参照する。確率テーブルでは、乱数値に停止図柄が対応付けられており、サブＣＰＵ７４は、サンプリングにより得られた乱数値に対応する停止図柄を選択する。サブＣＰＵ７４は、決定された図柄で鉢巻リール２８が停止するように、モータ駆動回路６９により、ステッピングモータ５９を駆動し、鉢巻リール２８の回転を制御する。
【００６２】
画像制御回路８１は、画像制御ＩＣ８２、画像制御ワークＲＡＭ８３、画像ＲＯＭ８６、及びビデオＲＡＭ８７で構成される。画像制御ＩＣ８２は、サブマイクロコンピュータ７３で設定されたパラメータに基づき、画像制御プログラムに従って液晶表示装置５での表示内容を決定する。画像制御ワークＲＡＭ８３は、画像制御プログラムを画像制御ＩＣ８２で実行するときの一時記憶手段（バッファ）として構成される。画像ＲＯＭ８６は、画像を形成するためのドットデータを格納する。ビデオＲＡＭ８７は、画像制御ＩＣ８２で画像を形成するときの一時記憶手段として構成される。
【００６３】
また、プログラムＲＯＭ７５や画像ＲＯＭ８６には、ミニゲーム表示処理等の各種のプログラムが格納されている。ミニゲーム表示処理は、ボーナス遊技状態においてペナルティーキック合戦の映像をミニゲーム画面として中央液晶パネル５Ｂに表示する一方、ボーナス遊技状態以外の一般遊技状態等において遊技リール３Ｌ・３Ｒ・３Ｃを模擬したリール映像を中央液晶パネル５Ｂに表示するようになっている。さらに、プログラムＲＯＭ７５や画像ＲＯＭ８６には、ミニゲーム等において用いられるキャラクタ図柄や演出図柄等のデータが格納されている。尚、これらの図柄データは、プログラムＲＯＭ７５及び画像ＲＯＭ８６の何れかに格納されていれば良い。
【００６４】
ここで、『ミニゲーム』は、パチスロ遊技装置１本来の遊技リール３Ｌ・３Ｒ・３Ｃを用いたスロットゲーム（主ゲーム）とは異なる副ゲームのことであり、スロットゲームと並行して実行されたり、スロットゲームの停止期間中の一時期に実行される。例えば、本実施形態においては、ボーナス遊技状態におけるスロットゲームの実行中に実行されるペナルティーキック合戦のゲームがミニゲームである。そして、このミニゲームは、サッカーである遊技テーマに関連付けられている。
【００６５】
尚、ペナルティーキック合戦においては、自動で連続的にペナルティーキックが行われてもよいし、プレイヤがボールをキックする方向や強さを操作可能にされてもよい。即ち、操作ボタンの一種として、ボール速度とボール方向とを決定するためのボタンを備える。そして、プレイヤがボール方向を決定した後、低速から高速の範囲を上下動するバー表示に合わせて操作ボタンを操作することによって、ゴールへ向かうボール速度を決定してもよい。この場合は、プレイヤにミニゲームに参加するという興趣を与えることができる。
【００６６】
(ミニゲーム画面)
図２に示すように、ミニゲームの実行時においては、液晶表示装置５にミニゲーム画面４００が表示される。尚、ミニゲーム停止時においては、図１のビデオリール画面４０１が表示される。
【００６７】
ミニゲーム画面４００は、サッカーのペナルティーキック合戦の様子を示している。具体的には、ボールを蹴るキッカーと、ゴールを守るゴールキーパーとが初期画面として表示される。そして、所定の待機時間の経過後に、キッカーがボールを蹴り、ボールがゴールに入ると、『ＧＯＡＬ』の画像が表示され、累積ポイント数が表示される。これにより、プレイヤは自分が獲得したポイントを確認することができる。一方、ボールがゴールに入らない場合には、次のペナルティーキック合戦の初期画面に戻ることになる。尚、この場合、ポイントは発生しない。
【００６８】
（遊技状態）
以上のように構成されたパチスロ遊技装置１には、『一般遊技状態』と『特別遊技状態』との２つの遊技状態がある。
『特別遊技状態』には、ボーナスゲームであるＲＢ（レギュラーボーナス）が行われる『ＲＢ遊技状態』と、ボーナスゲームであるＢＢ（ビッグボーナス）が行われる『ＢＢ遊技状態』と、リプレイの当籤確率が高い抽籤が行われるリプレイ高確率遊技が行われる『リプレイタイム』との３種類の遊技状態が存在する。
これらの遊技状態は、基本的に、内部当籤する可能性のある役の種類、再遊技に内部当籤する確率及び入賞成立を実現することが可能なボーナスの種別、内部当籤と入賞成立との関係により区別される。
【００６９】
『一般遊技状態』は、基本的に、所謂「出球率」（遊技に賭けられた単位遊技価値に対して遊技者に付与される遊技価値）の期待値が「１」よりも小さい遊技状態であり、他の遊技状態と比べて遊技者にとって最も不利な遊技状態である。
【００７０】
『ＢＢ遊技状態』は、『一般遊技状態』や『リプレイタイム』において、ＢＢに内部当籤し、ＢＢに入賞した場合に発生する（ボーナスゲームの開始条件）。ＢＢの入賞は、『一般遊技状態』において「赤７−赤７−赤７」又は「青７−青７−青７」が有効ラインに沿って並ぶことにより成立する。『ＢＢ遊技状態』は、所定枚数のメダルの払い出しが完了すれば終了する（ボーナスゲームの解除条件）。
【００７１】
『ＲＢ遊技状態』は、『一般遊技状態』よりも出玉率の期待値が高く、他の遊技状態と比べて遊技者にとって最も有利な遊技状態である。『ＲＢ遊技状態』は、『一般遊技状態』や『リプレイタイム』又は『ＢＢ遊技状態』においてＲＢ（レギュラーボーナス）に入賞した場合に発生する（ボーナスゲームの開始条件）。ＲＢの入賞は、一般遊技状態又はＢＢ遊技状態において「赤７−赤７−青７」が有効ラインに沿って並ぶことにより成立する。本実施形態において、『ＲＢ遊技状態』は、所定枚数のメダルの払い出しが完了すれば終了する（ボーナスゲームの解除条件）。
なお、各遊技状態間の移行は、ボーナス図柄の組合せが入賞ライン上に表示されたとき等により移行する。
【００７２】
『リプレイタイム』は、『ＢＢ遊技状態』又は『ＲＢ遊技状態』の後に発生する遊技状態である（リプレイタイムの開始条件）。『リプレイタイム』は、メダルを投入しなくても次ゲームが行える再遊技に入賞する確率が『一般遊技状態』よりも高くなっている。即ち、『リプレイタイム』では、『一般遊技状態』よりもメダルを減らすことなく遊技が行える可能性が高くなっているため、少しずつメダルを増やしていくことが可能となる。また、『リプレイタイム』は、所定回数のリプレイ高確率遊技を実行するか、又は、リプレイ高確率遊技において「チェリーの小役」に入賞すると終了し、『一般遊技状態』に移行する（リプレイタイムの解除条件）。
【００７３】
なお、『リプレイタイム』では、遊技者に、「チェリーの小役」に入賞しないようにナビゲートする報知演出が実行されてもよい。
【００７４】
（図柄組合せと払い出し枚数）
次に、遊技状態と入賞成立を示す図柄組合せとメダルの払い出し枚数との関係について説明する。一般遊技状態においては、『ＢＢ』と、『ＲＢ』と『再遊技（リプレイ）』と『スイカの小役』と『ベルの小役』と『チェリーの小役』と『プラムの小役』とに入賞する可能性がある。『ＢＢ』は、「赤７−赤７−赤７」、又は、「青７−青７−青７」が有効ラインに沿って並ぶことにより成立する（ＢＢの開始条件）。『ＲＢ』は、「赤７−赤７−青７」が有効ラインに沿って並ぶことにより成立する（ＲＢの開始条件）。これらのメダルの払い出し枚数は「０枚」である。また、『再遊技（リプレイ）』は、「Ｒｅｐｌａｙ−Ｒｅｐｌａｙ−Ｒｅｐｌａｙ」が並ぶことにより成立する。再遊技の入賞が成立すると、投入したメダルの枚数と同数のメダルが自動投入されるので、遊技者はメダルを消費することなく次回のゲームを行うことができる。また、スイカ、ベル、チェリー、プラムの小役の場合、それぞれ６枚、１０枚、６枚、６枚のメダルが払い出される。
【００７５】
ＢＢ遊技状態では、『ＲＢ』と『スイカの小役』と『ベルの小役』と『チェリーの小役』と『プラムの小役』とに入賞する可能性がある。また、ＲＢ遊技状態においては、『再遊技』、『スイカ』、『ベル』、『チェリー』、『プラム』の小役に入賞する可能性がある。スイカ、ベル、チェリー、プラムの小役の場合、それぞれ６枚、１０枚、６枚、６枚のメダルが払い出される。
【００７６】
（リール交換装置の電気的構成）
鉢巻リール交換装置１００、リール着脱装置２５０及びリール搬送装置２００について説明する。なお、リール着脱装置２５０及びリール搬送装置２００は、遊技リールの交換装置を構成するものである。
図１１（ａ）は、鉢巻リール交換装置１００のブロック図である。
鉢巻リール交換装置１００は、副制御回路７２からの指令信号を契機として、所定のタイミングで順次、駆動回路１２１に駆動信号を送信するＭＰＵ１２０と、ＭＰＵ１２０からの駆動信号に基づいて、各装置を駆動させる駆動回路１２１と、旋回用モータ１２２と、昇降用モータ１２３と、把持用モータ１２４とを備えている。各モータとしては、ステッピングモータ、サーボモータ等、従来公知のモータを採用することができる。
【００７７】
旋回用モータ１２２は、旋回アーム１０３（図４参照）を左右方向に所定範囲で旋回させるためのモータである。昇降用モータ１２３は、昇降部１０２（図４〜図６参照）を上下方向に所定範囲で昇降させるためのモータであり、ラック・ピニオン機構により昇降部１０２を昇降させるものである。把持用モータ１２３は、把持部１０４（図５、図６参照）を所定範囲で開閉動させるためのモータであり、旋回アーム１０３内に設けられたワイヤ等により把持部１０４に動力を伝達する。鉢巻リール交換処理については、後で詳述することにする。
【００７８】
図１１（ｂ）は、リール着脱装置のブロック図である。
リール着脱装置２５０は、副制御回路７２からの指令信号を契機として、所定のタイミングで順次、駆動回路２６１に駆動信号を送信するＭＰＵ２６０と、ＭＰＵ２６０からの駆動信号に基づいて、各装置を駆動させる駆動回路２６１と、把持部延長用モータ２６２と、把持用モータ２６３と、回転部延長用モータ２６４と、回転用モータ２６５とを備えている。各モータとしては、ステッピングモータ、サーボモータ等、従来公知のモータを採用することができる。
【００７９】
把持部延長用モータ２６２は、延長アーム２５２（図７参照）を左右方向（図７、矢印Ｐ方向）に伸縮させるためのモータであり、ラック・ピニオン機構により延長アーム２５２を伸縮させるものである。把持用モータ２６３は、把持部２５３（図７参照）を所定範囲で開閉動（図７、矢印Ｕ方向）させるためのモータであり、延長アーム２５２内に設けられたワイヤ等により把持部２５３に動力を伝達する。回転部延長用モータ２６４は、回転部２５１（図７参照）を左右方向（図７、矢印Ｐ方向）に伸縮させるためのモータである。回転用モータ２６５は、回転部２５１先端を回転させるためのモータである。
【００８０】
図１１（ｃ）は、リール搬送装置のブロック図である。
リール搬送装置２００は、副制御回路７２からの指令信号を契機として、所定のタイミングで順次、駆動回路２３１に駆動信号を送信するＭＰＵ２３０と、ＭＰＵ２３０からの駆動信号に基づいて、各装置を駆動させる駆動回路２３１と、左右移動用モータ２３２と、前後移動用モータ２３３と、昇降用モータ２３４と、把持用モータ２３５とを備えている。各モータとしては、ステッピングモータ、サーボモータ等、従来公知のモータを採用することができる。
【００８１】
左右移動用モータ２３２は、移動棹２０１（図７参照）を左右方向（図７、矢印Ｓ方向）に移動させるためのモータである。前後移動用モータ２３３は、モータボックス２２０（図７及び図８参照）を前後方向（図７及び図８、矢印Ｔ方向）に移動させるためのモータであり、リール搬送装置２００内に設置されており、ワイヤ等により動力伝達を行い、モータボックス２２０を前後往復動させる。昇降用モータ２３４は、昇降アーム２２１を上下方向に伸縮させるモータである。把持用モータ２３５は、水平アーム２２２の先端に設けられた把持部２２３を所定範囲で開閉動させるためのモータである。リール着脱装置２５０及びリール搬送装置２００による遊技リール交換処理については、後で詳述することにする。
【００８２】
（主制御回路７１の動作）
上記の構成において、パチスロ遊技装置１の動作について説明する。
【００８３】
先ず、電源が投入されると、パチスロ遊技装置１は、主制御回路７１において図１２のメインルーチン等を実行することにより遊技を行うと共に、副制御回路７２において図２０のミニゲーム表示処理や図示しないリセットルーチン等をそれぞれ独立して実行することにより液晶表示装置５の演出画像の表示等を実施可能な状態になる。
【００８４】
（メインルーチン）
図１２は、主制御回路７１により実行されるメインルーチンを示すフローチャートである。
先ず、遊技開始時の初期化を実行した後（ステップＳ１）、遊技処理を実行する（ステップＳ２）。
【００８５】
ここで、遊技処理について説明する。
図１３は、主制御回路７１により実行される遊技処理のサブルーチンを示すフローチャートである。
遊技処理は、一般遊技状態、ＢＢ遊技状態、ＲＢ遊技状態及びリプレイタイムにおいて実行される。その時点の遊技状態がどの遊技であるかは、ＲＡＭ３３に格納されるフラグによって判定される。主制御回路７１は、遊技状態の移行時等にフラグのセットを行い、その際に副制御回路７２に対して遊技状態の変更を通知する信号を送信する。
図１２のステップＳ２において呼び出されて実行される遊技処理は、一般遊技状態における遊技処理である。
【００８６】
遊技処理においては、先ず、遊技終了時のＲＡＭ３３の所定の記憶内容が消去される（ステップＳ２０）。
次に、投入メダルセンサ２２ＳやＢＥＴボタン１１、１２からの入力があるまで待機状態となる。そして、入力があると、メダル投入信号を副制御回路７２に送信する（ステップＳ２１）。この後、スタートレバー６の操作によりスタートスイッチ６Ｓがオンされたか否かを判定する（ステップＳ２２）。スタートスイッチ６Ｓがオンされなければ（ステップＳ２２：ＮＯ）、ステップＳ２２を再実行し、スタートレバー６が操作されるまで待機する。一方、スタートスイッチ６Ｓがオンされると（ステップＳ２２：ＹＥＳ）、リール回転処理に実行を移行し（ステップＳ２３）、続いて抽籤用の乱数を抽出する（ステップＳ２４）。
【００８７】
そして、遊技状態監視処理を実行することによって、今回の遊技における遊技状態（一般遊技状態、ＢＢ遊技状態、ＲＢ遊技状態又はリプレイタイム）を確認しセットする（ステップＳ２５）。即ち、今回の遊技の遊技状態を、一般遊技状態、ＢＢ遊技状態、ＲＢ遊技状態又はリプレイタイムの何れかにセットする。なお、図１２のステップＳ２において呼び出されて遊技処理が行われている場合、遊技状態は、一般遊技状態である。
【００８８】
今回の遊技の遊技状態が確認されると（ステップＳ２５）、確率抽籤テーブル（図示せず）に基づく確率抽籤処理において遊技状態に対応した内部当籤役を抽籤し（ステップＳ２６）、選択された内部当籤役の情報を副制御回路７２に格納する。なお、本実施形態においては、小役、ボーナスの同時抽籤が可能であり、後述するリプレイタイムにおいては、リプレイ役の当籤確率が増大した値に設定される。
【００８９】
内部当籤役を決定すると、停止テーブル群（図示せず）の選択処理を実行する（ステップＳ２７）。そして、リール回転停止処理を実行し、何れかの停止ボタン７Ｌ、７Ｃ、７Ｒが操作されたタイミングで滑りコマ数分、遊技リールを回転してから停止する（ステップＳ２８）。この後、入賞判定（入賞検索）により遊技リール３Ｌ、３Ｃ、３Ｒの図柄の停止態様（識別情報の組合せ）に基づいて入賞役（入賞が成立した役）を識別する（ステップＳ２９）。なお、本実施形態においては、ボーナスフラグの繰り越しはあるが、小役フラグの繰り越し及びボーナスフラグのストックは無いものとする。
【００９０】
そして、遊技状態に応じてメダル（遊技媒体）のクレジット又は払出しを行う（ステップＳ３０）。なお、本実施形態では、ボーナス入賞時に払い出しは無く、小役入賞時にのみ払出しが行われる。この後、本サブルーチンを終了する。
【００９１】
図１２のステップＳ２において呼び出された遊技処理を実行した場合、その後、図１２に示すメインルーチンに処理を戻す。
次に、ボーナス（ＢＢ又はＲＢ）に入賞したか否かを判断する（ステップＳ３）。すなわち、『赤７-赤７-赤７』、『青７-青７-青７』の識別情報の組合せで停止表示されたか否かを判断する。ステップＳ３において、ボーナスに入賞していないと判断した場合、ステップＳ２に処理を戻す。
【００９２】
一方、ステップＳ３において、ボーナスに入賞したと判断した場合、そのボーナスがＢＢであるか否かを判断する（ステップＳ４）。
ステップＳ４においてボーナスがＢＢではないと判断した場合、入賞したボーナスはＲＢであるから、ボーナスゲーム（ＲＢ）処理（図１７）を実行する（ステップＳ５）。ボーナスゲーム（ＲＢ）は、払出枚数が所定枚数以上になったときに終了する。
【００９３】
ステップＳ４においてボーナスがＢＢであると判断した場合、入賞したボーナスはＢＢであるから、鉢巻リール交換処理（ステップＳ６）及びリール交換処理（ステップＳ７）を実行した後、ボーナスゲーム（ＢＢ）処理（図１６）を実行する（ステップＳ８）。鉢巻リール交換処理及びリール交換処理については、後で詳述することにする。
ボーナスゲーム（ＢＢ）は、払出枚数が所定枚数を超えたときに終了する。なお、ボーナスゲーム（ＢＢ）中に、ボーナスゲーム（ＲＢ）に入賞したときには、ボーナスゲーム（ＲＢ）に移行する。次に、鉢巻リール交換処理を実行する（ステップＳ９）。
【００９４】
ステップＳ５又はＳ９の処理を実行した場合、リール交換処理を実行する（ステップＳ１０）。その後、リプレイタイム処理（図１８）を実行する（ステップＳ１１）。リプレイタイムは、定められた回数のリプレイ高確率遊技が行われた場合、又は、それまでにボーナス（ＢＢ又はＲＢ）若しくは特定の小役（本実施形態ではチェリー）に入賞した場合に終了する。ステップＳ１１の処理を終了した後、リール交換処理を実行する（ステップＳ１２）。その後、ステップＳ２に処理を戻す。
【００９５】
（鉢巻リール交換処理）
図１４は、鉢巻リール交換処理のサブルーチンを示すフローチャートである。なお、図１４の説明では、上記サブルーチンの開始時に、鉢巻リール２８ａがステッピングモータ５９に取り付けられている場合（鉢巻リール２８ａが図柄表示リールである場合）について説明する。
【００９６】
まず、サブＣＰＵ７４は、ステッピングモータ５９を駆動し、鉢巻リール２８ａのシンボル位置を初期化する（ステップＳ１００）。次に、サブＣＰＵ７４は、鉢巻リール交換装置１００に、指令信号を出力する。
ＭＰＵ１２０は、指令信号を受信すると、昇降用モータ１２３を駆動し、昇降部１０２を下降させ、旋回アーム１０３を鉢巻リール２８ａに接近させる（ステップＳ１０１）。
【００９７】
次に、ＭＰＵ１２０は、把持用モータ１２４を駆動し、把持部２５３を閉鎖することにより、鉢巻リール２８ａを把持する（ステップＳ１０２）。
次に、ＭＰＵ１２０は、昇降用モータ１２３を駆動し、昇降部１０２を上昇させ、鉢巻リール２８ａを持ち上げる（ステップＳ１０３）。
次に、ＭＰＵ１２０は、旋回用モータ１２２を駆動し、空のリール設置台１１０（１１０Ｒ又は１１０Ｌ）へ旋回アーム１０３を移動させる（ステップＳ１０４）。
【００９８】
次に、ＭＰＵ１２０は、昇降用モータ１２３を駆動し、昇降部１０２を下降させ、鉢巻リール２８ａを、リール設置台１１０（１１０Ｒ又は１１０Ｌ）上に移動させ、把持用モータ１２４を駆動し、把持部２５３を開放することにより、鉢巻リール２８ａをリール設置台１１０に設置する（ステップＳ１０６）。
【００９９】
次に、ＭＰＵ１２０は、昇降用モータ１２３を駆動し、昇降部１０２を上昇させ（ステップＳ１０７）、旋回用モータ１２２を駆動し、待機リールとしての鉢巻リール２８ｂが設置されたリール設置台１１０（１１０Ｌ又は１１０Ｒ）へ向けて、旋回アーム１０３を旋回させる（ステップＳ１０８）。
【０１００】
次に、ＭＰＵ１２０は、昇降用モータ１２３を駆動し、昇降部１０２を下降させる（ステップＳ１０９）。次に、ＭＰＵ１２０は、把持用モータ１２４を駆動し、把持部２５３を閉鎖することにより、鉢巻リール２８ｂを把持する（ステップＳ１１０）。次に、ＭＰＵ１２０は、昇降用モータ１２３を駆動し、昇降部１０２を上昇させ、鉢巻リール２８ｂを持ち上げる（ステップＳ１１１）。
【０１０１】
次に、ＭＰＵ１２０は、旋回用モータ１２２を駆動し、中央のリール設置台１１０Ｃへ旋回アーム１０３を旋回させる（ステップＳ１１２）。次に、ＭＰＵ１２０は、昇降用モータ１２３を駆動し、昇降部１０２を下降させ、鉢巻リール２８ａを、リール設置台１１０Ｃ上に移動させ（ステップＳ１１３）、把持用モータ１２４を駆動し、把持部２５３を開放することにより、鉢巻リール２８ｂをリール設置台１１０Ｃ上のステッピングモータ５９に設置する（ステップＳ１１４）。
【０１０２】
（遊技リール交換処理）
図１５は、遊技リール交換処理のサブルーチンを示すフローチャートである。
先ず、メインＣＰＵ３１は、ステッピングモータ４９を駆動し、遊技リール３Ｌのシンボル位置を初期化する（ステップＳ１２０）。
次に、メインＣＰＵ３１は、副制御回路７２に指令信号を送信し、該指令信号を受信した副制御回路７２のサブＣＰＵ７４は、リール着脱装置２５０及びリール搬送装置２００に指令信号を送信する。
次に、リール着脱装置２５０は、把持部延長用モータ２６２により、延長アーム２５２を延長し、把持用モータ２６３により、把持部２５３を閉鎖し、遊技リール３Ｒを把持固定する（ステップＳ１２１）。
次に、リール着脱装置２５０は、回転部延長用モータ２６４により、回転部２５１を延長して螺子頭３Ｒ′に接触させ、回転用モータ２６５により、回転部２５１を回転させ、螺子を緩める（ステップＳ１２２）。
次に、リール着脱装置２５０は、把持部延長用モータ２６２及び回転部延長用モータ２６４を駆動させ、延長アーム２５２及び回転部２５１を縮退させ、遊技リール３Ｒをリーチ載置台２１０Ｆに載置する（ステップＳ１２３）。ステップＳ１２０〜Ｓ１２３は、図柄表示リールとしての遊技リール３Ｒの取外処理である。
【０１０３】
次に、リール搬送装置２００は、昇降用モータ２３４を駆動させ、昇降アーム２２１を下方に延長することにより、把持部２２３を下降させ、更に、把持用モータ２３５を駆動させ、把持部２２３を閉鎖することにより、遊技リール３Ｒを把持する（ステップＳ１２４）。
【０１０４】
次に、リール搬送装置２００は、昇降用モータ２３４を駆動させ、昇降アーム２２１を上方に縮退させることにより、把持部２２３を上昇させ、更に、左右移動用モータ２３２及び前後移動用モータ２３３を駆動させることにより、把持部２２３を、リール載置台２１０Ｂの空白部分の上方に移動させることにより、遊技リール３Ｒを搬送する（ステップＳ１２５）。
【０１０５】
次に、リール搬送装置２００は、昇降用モータ２３４を駆動させ、昇降アーム２２１を下方に延長することにより、把持部２２３を下降させ、更に、把持用モータ２３５を駆動させ、把持部２２３を開放することにより、遊技リール３Ｒをリール載置台２１０Ｂの空白部分に載置する（ステップＳ１２６）。ステップＳ１２４〜Ｓ１２６は、図柄表示リールとしての遊技リール３Ｒの退避処理である。
【０１０６】
次に、リール搬送装置２００は、昇降用モータ２３４を駆動させ、昇降アーム２２１を上方に縮退させることにより、把持部２２３を上昇させ、更に、左右移動用モータ２３２及び前後移動用モータ２３３を駆動させることにより、把持部２２３を、所定の遊技リール３の上方に移動させる（ステップＳ１２７）。
【０１０７】
次に、リール搬送装置２００は、昇降用モータ２３４を駆動させ、昇降アーム２２１を下方に延長することにより、把持部２２３を下降させ、更に、把持用モータ２３５を駆動させ、把持部２２３を閉鎖することにより、遊技リール３を把持する（ステップＳ１２８）。
【０１０８】
次に、リール搬送装置２００は、昇降用モータ２３４を駆動させ、昇降アーム２２１を上方に縮退させることにより、把持部２２３を上昇させ、更に、左右移動用モータ２３２及び前後移動用モータ２３３を駆動させることにより、把持部２２３を、リール載置台２１０Ｆの上方に移動させることにより、遊技リール３を搬送する（ステップＳ１２９）。
【０１０９】
次に、リール搬送装置２００は、昇降用モータ２３４を駆動させ、昇降アーム２２１を下方に延長することにより、把持部２２３を下降させ、更に、把持用モータ２３５を駆動させ、把持部２２３を開放することにより、遊技リール３をリール載置台２１０Ｆに載置する（ステップＳ１３０）。
【０１１０】
次に、リール搬送装置２００は、昇降用モータ２３４を駆動させ、昇降アーム２２１を上方に縮退させる（ステップＳ１３１）。
ステップＳ１２７〜Ｓ１３１は、待機リールとしての遊技リール３の搬送処理である。
【０１１１】
次に、リール着脱装置２５０は、把持部延長用モータ２６２及び把持用モータ２６３を駆動することにより、リール載置台２１０Ｆ上に載置された遊技リール３を把持し、延長アーム２５２を延長し、ステッピングモータ４９Ｒに遊技リール３を取り付ける（ステップＳ１３２）。
【０１１２】
次に、リール着脱装置２５０は、回転部延長用モータ２６４により、回転部２５１を延長して螺子頭３′に接触させ、回転用モータ２６５により、回転部２５１を回転させ、螺子を締める（ステップＳ１３３）。
次に、リール着脱装置２５０は、把持部延長用モータ２６２及び回転部延長用モータ２６４を駆動させ、延長アーム２５２及び回転部２５１を縮退させ、遊技リール３Ｒをリーチ載置台２１０Ｆに載置する（ステップＳ１３４）。ステップＳ１３２〜Ｓ１３４は、待機リールとしての遊技リール３の取付処理である。
【０１１３】
本実施形態では、交換対象となる待機リールの数は３つである。このなかで、どの待機リールと交換するかを決定する方法は、特に限定されるものではなく、例えば、所定順序に沿って順にリール交換を行ってもよく、都度抽籤を行って決定することにしてもよい。更に、ＲＴでは、リプレイ図柄を多く含む遊技リールを使用するというように、遊技状態に応じた遊技リールを用いることとしてもよい。
【０１１４】
（ボーナスゲーム（ＢＢ）処理）
図１６は、主制御回路７１により実行されるボーナスゲーム（ＢＢ）処理のサブルーチンを示すフローチャートである。
先ず、遊技処理（図１３）を実行する（ステップＳ４０）。なお、ステップＳ４０において呼び出されて実行される遊技処理では、遊技状態監視処理（ステップＳ２５）において、今回の遊技状態をＢＢ遊技状態にセットし、確率抽籤処理（ステップＳ２６）において、ＢＢ遊技状態に応じた確率抽籤テーブルに基づく内部当籤役の抽籤を行う。また、メダルのクレジット又は払出（ステップＳ３０）は、ＢＢ遊技状態に応じた払出数で行われる。
【０１１５】
次に、ボーナス（ＲＢ）に入賞したか否かを判断し（ステップＳ４１）、ボーナス（ＲＢ）に入賞したと判断した場合、ボーナスゲーム（ＲＢ）処理を実行する（ステップＳ４２）。
ステップＳ４１においてボーナス（ＲＢ）に入賞していないと判断した場合、又は、ステップＳ４２の処理を実行した場合、ボーナスゲーム（ＢＢ）における払出枚数のチェック処理を行い（ステップＳ４３）、ボーナスを終了するか否かを判断する（ステップＳ４４）。本実施形態において、ボーナス（ＢＢ）を終了するか否かの判断は、ボーナスゲームにおける払出枚数が所定数以上であるか否かにより判断する。
【０１１６】
ステップＳ４４において、ボーナスゲームを終了しないと判断した場合、ステップＳ４０に処理を戻す一方、ボーナスゲームを終了すると判断した場合には、本サブルーチンを終了する。
【０１１７】
（ボーナスゲーム（ＲＢ）処理）
図１７は、主制御回路７１により実行されるボーナスゲーム（ＲＢ）処理のサブルーチンを示すフローチャートである。
先ず、遊技処理（図１３）を実行する（ステップＳ５０）。なお、ステップＳ５０において呼び出されて実行される遊技処理では、遊技状態監視処理（ステップＳ２５）において、今回の遊技状態をＲＢ遊技状態にセットし、確率抽籤処理（ステップＳ２６）において、ＲＢ遊技状態に応じた確率抽籤テーブルに基づく内部当籤役の抽籤を行う。また、メダルのクレジット又は払出（ステップＳ３０）は、ＲＢ遊技状態に応じた払出数で行われる。
【０１１８】
次に、ボーナスゲーム（ＲＢ）における払出枚数のチェック処理を行い（ステップＳ５１）、ボーナスを終了するか否かを判断する（ステップＳ５２）。本実施形態において、ボーナス（ＲＢ）を終了するか否かの判断は、ボーナスゲームにおける払出枚数が所定数以上であるか否かにより判断する。
【０１１９】
ステップＳ５２において、ボーナスゲームを終了しないと判断した場合、ステップＳ５０に処理を戻す一方、ボーナスゲームを終了すると判断した場合には、本サブルーチンを終了する。
【０１２０】
（リプレイタイム処理）
図１８は、主制御回路７１により実行されるリプレイタイム処理のサブルーチンを示すフローチャートである。
先ず、リプレイ高確率遊技の回数（Ｔ）決定処理を実行する（ステップＳ６０）。ステップＳ６０における処理は、所定の数値範囲の中から１の乱数を抽出し、該数値範囲内の各値に対応付けて抽籤結果（Ｔ＝５０、１００、１５０）が割り当てられた確率テーブル（図示せず）を参照することにより、抽籤結果としてのリプレイ高確率遊技の回数（Ｔ）を決定する処理である。決定されたリプレイ高確率遊技の回数（Ｔ）を示すデータは、ＲＡＭ３３に記憶される。
【０１２１】
次に、リプレイ高確率遊技の回数（Ｔ）を表示部１７に表示する（ステップＳ６１）。表示部１７には、払出数及びクレジット数が表示されるが、ステップＳ６１が行われてから所定期間が経過するまでは、リプレイ高確率遊技の回数（Ｔ）が表示される。
【０１２２】
続いて、遊技処理を実行する（ステップＳ６２）。なお、ステップＳ６２において呼び出されて実行される遊技処理では、遊技状態監視処理（ステップＳ２５）において、今回の遊技状態をリプレイタイムにセットし、確率抽籤処理（ステップＳ２６）において、リプレイタイムに応じた確率抽籤テーブル、即ち、リプレイの当籤確率が一般遊技状態に比べて高く設定され、且つ、ＢＢ及びＲＢの内部当籤役を含む確率抽籤テーブルに基づく内部当籤役の抽籤を行う。また、メダルのクレジット又は払出（ステップＳ３０）は、リプレイタイムに応じた払出数で行われる。
【０１２３】
ステップＳ６２における処理を実行した後、ボーナス（ＢＢ又はＲＢ）に入賞したか否かを判断する（ステップＳ６３）。ステップＳ６３においてボーナスに入賞したと判断した場合、リプレイ高確率遊技の回数（Ｔ）をＴ＝０にセットし（ステップＳ６４）、図１２のステップＳ４に処理を移す。これにより、リプレイタイムを終了し、その後、ボーナスゲーム（ＲＢ）処理（ステップＳ５）、又は、ボーナスゲーム（ＢＢ）処理（ステップＳ６）を実行する。
【０１２４】
ステップＳ６３において、ボーナス（ＢＢ又はＲＢ）に入賞していないと判断した場合、特定の小役（本実施形態ではチェリー）に入賞したか否かを判断する（ステップＳ６５）。ステップＳ６５において特定の小役に入賞したと判断した場合、リプレイ高確率遊技の回数（Ｔ）をＴ＝０にセットする（ステップＳ６６）。特定の小役に入賞していないと判断した場合、リプレイ高確率遊技の回数（Ｔ）をＴ＝Ｔ−１にセットする（ステップＳ６７）。ステップＳ６６又はＳ６７の処理を実行した場合、リプレイ高確率遊技の回数（Ｔ）がＴ＝０であるか否かを判断し（ステップＳ６８）、Ｔ＝０ではないと判断した場合、ステップＳ６１に処理を戻す一方、Ｔ＝０であると判断した場合、本サブルーチンを終了する。
【０１２５】
（ミニゲーム処理）
また、パチスロ遊技装置１は、主制御回路７１において、図１９のミニゲーム処理を、上述したメインルーチンとは別に独立して実行している。ミニゲーム処理が実行されると、先ず、現在の遊技状態がボーナス遊技状態（ＢＢ遊技状態又はＲＢ遊技状態）であるか否かが判定される（ステップＡ１）。ボーナス遊技状態ではない場合には（Ａ１：ＮＯ）、本サブルーチンが終了し、ステップＡ１から再実行する。
【０１２６】
一方、ボーナス遊技状態である場合には（Ａ１：ＹＥＳ）、続いてチェリーに入賞したか否かを判定する（ステップＡ２）。チェリーに入賞しなければ（Ａ２：ＮＯ）、本サブルーチンを終了し、ステップＡ１から再実行する。チェリーに入賞した場合には（ステップＡ２：ＹＥＳ）、ポイント付与処理が実行され、ポイント値がＲＡＭ３３に累積的に記憶されるとともに、ポイント信号が副制御回路７２に出力される（ステップＡ３）。
そして、本サブルーチンを終了し、ステップＡ１から再実行する。
なお、ポイント信号が入力された副制御回路７２においては、図２に示すように、ミニゲームであるペナルティーキック合戦の結果としてゴール画像が表示される。
【０１２７】
（副制御回路７２の動作）
以上のようにして、遊技が実施されている場合等において、副制御回路７２においては、図示しないリセットルーチンを実行することにより、液晶表示装置５に対して演出画像を画面表示する。例えば、遊技の中断中であれば、デモ画面が演出画像として液晶表示装置５に表示され、遊技中であれば、擬似リールや遊技状態に応じたミニゲーム等の演出画像が液晶表示装置５に表示される。
【０１２８】
また、副制御回路７２においては、リセットルーチンを実行することによりスピーカ２１Ｌ、２１Ｒ、２１Ｂに対して演出効果音を出力させる。例えば、遊技の中断中であれば、デモ効果音が演出効果音としてスピーカ２１Ｌ、２１Ｒ、２１Ｂから発せられ、遊技中であれば、遊技状態に応じた演出効果音がスピーカ２１Ｌ、２１Ｒ、２１Ｂから発せられる。
【０１２９】
（ミニゲーム表示処理）
また、副制御回路７２は、リセットルーチンとは別に独立してミニゲーム表示処理を実行する。具体的には、ボーナス遊技状態であるか否かを判定する（ステップＢ１）。ボーナス遊技状態ではないと判断した場合には（ステップＢ１：ＮＯ）、図１に示すように、擬似リールのリール映像を液晶表示装置５に表示する（ステップＢ６）。そして、本サブルーチンを終了する。
【０１３０】
一方、ボーナス遊技状態である場合には（Ｂ１：ＹＥＳ）、図２に示すように、ミニゲーム画面４００の表示に切り換えた後、ペナルティーキック合戦の映像を表示する（ステップＢ２）。この後、主制御回路７１から入賞信号を受信するまで待機状態となり、入賞信号がチェリーであるか否かを判定する（ステップＢ３）。入賞信号がチェリーに入賞した旨を示していれば（ステップＢ３：ＹＥＳ）、ゴール映像を表示した後（ステップＢ４）、本サブルーチンを終了する。一方、入賞信号がチェリーに入賞した旨を示していなければ（ステップＢ３：ＮＯ）、ペナルティーキックを失敗した状態を示す映像を表示した後（ステップＢ５）、本サブルーチンを終了する。
【０１３１】
以上の一連の処理を繰り返すことによって、ボーナス遊技状態の下で単位遊技を実行するごとに、ミニゲームであるペナルティーキック合戦を実施する。これにより、ボーナス遊技に加えてミニゲームを遊技者に楽しませることが可能になる。更に、チェリーに入賞すれば、ゴール映像（画像）を表示することによって、遊技者に対して累積ポイント値が増加したことを認識させることができる。
【０１３２】
本実施形態のパチスロ遊技装置１によれば、ＢＢ又はＲＴが行われるときに、遊技リール３の交換が行われ、ＢＢが行われるときに、鉢巻リール２８の交換が行われる。リールが実際に交換される様子を表示窓を介して視認可能であるため、リールを利用したリアリティのある演出を実行することができる。
【０１３３】
パチスロ遊技装置１は、図柄表示リールが、モータの回転軸に取り付けられる一方、待機リールが、モータの回転軸に取り付けられておらず、リールの交換装置が、図柄表示リールを、モータの回転軸から取り外す一方、待機リールを、モータの回転軸に取り付けることにより、リールの交換を行うように構成されているが、本発明の遊技機は、この例に限定されるものではない。本発明の遊技機は、例えば、下記（１）、（２）のような構成を採用することができる。
【０１３４】
（１）図柄表示リールは、待機リールより径が大きく、待機リールと同じ回転軸を有し、待機リールの周面を覆うように設置され、交換装置は、図柄表示リール又は待機リールを、回転軸と平行方向に移動させ、待機リールの周面を、表示窓を介して前方から視認可能とすることにより、リールの交換を行う遊技機。
【０１３５】
（２）図柄表示リール及び待機リールは、表示窓を介して前方から図柄が視認され得る位置に配置され、表示窓には、図柄表示リール又は待機リールの図柄が表示窓を介して前方から視認されないように視界を遮る遮蔽板が、図柄表示リール又は待機リールの何れか一方の前方に位置するように移動可能に設けられ、交換装置は、待機リールの前方に位置する遮蔽板を、図柄表示リールの前方に移動させることにより、リールの交換を行う遊技機。
【０１３６】
本実施形態では、リールの交換タイミングが、ＢＢ開始時、ＢＢ終了時、ＲＴ開始時及びＲＴ終了時である場合について説明した。ただし、本発明において、リールの交換タイミングは、特に限定されるものではなく、例えば、通常遊技状態から通常遊技状態以外の特別遊技状態に移行するタイミング、特別遊技状態から通常遊技状態に移行するタイミング、遊技結果又は遊技履歴を示す１つの変数（払出数、差枚数、払出率等）が所定値に達したタイミング、所定のタイミングで行われる抽籤に当籤したタイミング等を挙げることができる。
【０１３７】
本実施形態では、図柄表示リールと、待機リールとが、同じ図柄配列である場合について説明したが、本発明は、この例に限定されるものではない。例えば、図柄表示リールと、待機リールとの図柄配列が異なっていてもよい。図柄表示リールと、待機リールとの図柄の数が異なっていてもよい。図柄表示リール又は待機リールの一方が、他方に含まれない図柄を有していてもよい。図柄表示リールと待機リールとの径が異なっていてもよい。図柄表示リールと待機リールとの図柄のサイズ及び／又は形状が異なっていてもよい。
【０１３８】
本発明におけるリプレイタイムの開始条件及び終了条件は、本実施形態に限定されるものではない。
リプレイタイムの開始条件又は終了条件としては、下記（Ａ）〜（Ｅ）を挙げることができる。
（Ａ）ボーナスゲームに内部当籤すること
（Ｂ）ボーナスゲームに入賞すること、
（Ｃ）ボーナスゲームが終了すること、
（Ｄ）一般遊技において特定の役（ボーナスゲームを除く）に入賞すること、又は、
（Ｅ）上記（Ｃ）若しくは（Ｄ）の後に所定数の遊技を行うこと。
リプレイタイムの開始条件としては、（Ｃ）及び（Ｄ）を挙げることができる。
リプレイタイムの終了条件としては、（Ａ）、（Ｂ）、（Ｃ）及び（Ｄ）を挙げることができる。
【０１３９】
（本実施形態の変形例）
以上、本発明を好適な実施の形態に基づいて説明したが、本発明はこれに限定されるものではなく、本発明の遊技機は、以下の構成を上述の実施の形態における構成に加えて、或いは重複、置き換えて備えていてもよい。
【０１４０】
また、本発明の遊技機は、以下の手段を少なくとも１つ備えていてもよい。
所定の遊技結果が表示された場合に遊技者に遊技価値を付与する遊技価値付与手段、
遊技開始指令信号に基づいて所定の役を内部当籤役として決定する内部当籤役決定手段、
内部当籤役に基づいて変動表示手段に入賞態様を表示させる停止制御手段、
演出表示手段に遊技に関連した演出態様を表示させる演出表示制御手段、
遊技結果表示手段に特定の遊技結果が表示される以前に、特定の遊技結果が表示される可能性があることを予告表示手段に予告態様を表示させる予告表示制御手段、
遊技結果表示手段に特定の遊技結果が表示される以前に、特定の遊技結果が表示されることを告知表示手段に告知態様を表示させる予告表示制御手段、
遊技結果表示手段の表示制御を行なう表示制御手段、
遊技結果表示手段又は変動表示手段の一部又は全部の可変表示を停止させる停止指令信号を出力する遊技者による操作が可能な位置に設けられた表示停止指令手段、
所定の単位遊技で内部当籤役決定手段が内部当籤役として決定した特定の役を次回の単位遊技にも内部当籤役として持ち越す内部当籤役持越手段と、内部当籤役決定手段が内部当籤役として決定した特定の役を蓄積して記憶する特定役蓄積手段、並びに、
特定役蓄積手段が蓄積して記憶している特定の役を内部当籤役とする蓄積特定役当籤手段。
【０１４１】
ここで、上記の『遊技結果表示手段』は、まとめると変動表示手段、演出表示手段、告知表示手段等を含んで構成されている。それらが、別体の表示装置であってもよいし、単一の表示装置に設けられた所定の表示部（スプライト、深度の異なる３Ｄオブジェクト）でもよい。また、重なって表示されてもよい。さらには、１又は複数の音、１又は複数の光、１又は複数の色、１又は複数の画像、１又は複数の臭い等、１又は複数の感触（振動、圧力）のうちの何れかの、複数又は全部により遊技者に報知を行うようになっていてもよい。
【０１４２】
『遊技価値付与手段』は、遊技価値（コイン）を付与（払出）するプログラム等、有利状態発生手段を含み、賞媒体の払出、磁気カードへの記録、ゲームの得点加算も含む。
【０１４３】
『表示制御手段』は、まとめると停止制御手段、演出表示制御手段、告知表示制御手段等を含んで構成されている。単一の基板に設けられていても、別体の複数の基板に設けられてもよいし、停止制御手段は内部当籤役決定手段と同一の基板に設けられてもよい。（別体でもよい。）さらには、演出表示制御手段及び告知表示制御手段は、内部当籤役決定手段と別体の基板に設けられてもよい。（別体でもよい。）
【０１４４】
『変動表示手段』は、静止画像・動画像等を表示するものであり、リールやディスクによる移動表示、複数種類の図柄を可変表示または停止表示する１又は複数の図柄表示部から構成されている。例えばパチスロ機やビデオスロットの図柄、パチンコの特図、音図、判定図柄等を表示する。また、遊技結果として、特定の入賞態様を表示すれば何でもよい。
【０１４５】
『表示停止指令手段』は、演出表示手段、変動表示手段、告知表示手段等のうちの１つ、複数、全ての可変表示を停止させる信号を出力してもよいし、１つ又は複数の表示部に対応して１つ設けられていてもよい（表示部は、図柄表示部等）。或いは、１つの表示部に対応して複数設けられていてもよい（表示部は、図柄表示部等）。
【０１４６】
『有利状態発生手段』は、複数の遊技単位の間、継続して遊技者に有利な状態が続くものであれば何でもよい。例えば発生判定、継続判定、途中終了判定、発生、継続、終了等を行うプログラム等である。また、『内部当籤役決定手段』は、内部当籤役抽籤手段、内部当籤役持越手段、特定役蓄積手段、蓄積特定役当籤手段等から構成されている。
【０１４７】
尚、本実施の形態において、『遊技機』は、パチンコ、パチスロ機、ビデオスロット等を含む。『遊技結果』は、入賞態様、外れ態様、演出態様、告知態様等を含む。『特定の入賞態様』は、特定の図柄の表示（『３』、『７』等）や特定の図柄の組合せの表示（『７７７』『７７６』等）、複数の図柄のうちに特定の図柄が含まれている（単チェリー、２連チェリー等）等を含む。
【０１４８】
『外れ態様』は、変動表示手段に表示される入賞態様以外の態様、演出態様、告知態様等を含む。『所定の遊技結果』は、入賞態様等を含む。『演出態様』は、客待ち中、遊技中、遊技間、入賞（前、中、後）、有利状態（前、中、後）等を盛り上げる態様、または、それらの遊技情報（遊技案内）の報知態様、その他の態様等を含み、『大当り』、『ボーナス』、『外れ』、有利状態の継続数等の文字も含む。
【０１４９】
『予告態様』は、所定の内部当籤役または特定の内部当籤役が決定されている可能性があることを遊技者に対して予告する態様や外れを予告する態様、また、その演出態様を含む。『外れ？』、『ベル？』、『大当り当籤？』、『ボーナス当籤？』、『遊技手順ナビゲート機能当籤？』等の文字も含む。『告知態様』は、所定の内部当籤役または特定の内部当籤役が決定されていることを遊技者に対して告知する態様や、所定の内部当籤役または特定の内部当籤役が決定されていないことを遊技者に対して告知する態様、また、その演出態様を含む。『大当り確定』、『ボーナス確定』、『外れ確定』、『ベル確定』、『遊技手順ナビゲート機能当籤？』等の文字も含む。
【０１５０】
『態様』は、１又は複数の図柄（動／静止）画像、１又は複数のキャラクタ（動／静止）画像、１又は複数の背景（動／静止）画像、１又は複数の吹出し（動／静止）画像、１又は複数の文字、１図形、１又は複数の可動物の所定の動作等、１又は複数のランプの点灯、点滅等、１又は複数のスピーカの音等を含む。『遊技情報』は、遊技コンセプト（背景）、遊技のルール、操作説明、リーチ目、チャンス目、役・リプレイの説明、有利状態（ＢＢ，ＲＢ，ＳＢ等）の説明、有利状態（ＢＢ，ＲＢ等）、確率、所定時点（ボーナス、ＢＢ，ＲＢ、所定操作等）からの経過ゲーム数等を含む。
【０１５１】
『遊技開始指令手段』は、スタートレバー、スピンボタン等のスイッチ、遊技媒体投入、図柄始動口（ゲート）等を含む。『表示停止指令手段』は、ボタン、レバー、プログラム（計時手段）等を含む。『図柄表示手段』は、ＣＲＴ，ＬＣＤ、プラズマディスプレイ、７セグメント表示器、ドットマトリックス、ランプ、ＬＥＤ、蛍光灯、ＥＬ、電子ペーパ、フレキシブルＬＥＤ、フレキシブル液晶、液晶プロジェクタ、リール、ディスク、可動物等を含む。それらが複数設けられたもの、それらが組合せられたもの等を含む。
【０１５２】
『内部当籤役』は、複数の役から内部当籤役決定手段により内部当籤役として決定された１または複数の役を含む。『入賞役』は、内部当籤役に対応する入賞態様が表示された役を含む。『遊技価値』は、賞媒体（コイン、メダル、遊技球）の払出し、遊技結果記憶媒体（磁気カード等への所定の書き込み、リプレイ、得点の加算、有利状態の発生等を含む。『遊技媒体（賞媒体）』は、コイン、メダル、遊技球、貨幣、紙幣、磁気カード等を含む。
【０１５３】
また、パチスロ等における役は、次のうちの１または複数を適用してもよい。
外れ、
所定枚数の賞媒体を払出す小役、
内部当籤役決定手段が小役を内部当籤役と決定する確率を１単位遊技（１ゲーム）の間だけ高確率とするシングルボーナス、
内部当籤役決定手段が小役を内部当籤役と決定する確率を複数単位遊技の間だけ高確率とするレギュラーボーナス、
内部当籤役決定手段がレギュラーボーナスを内部当籤役に決定する確率を複数単位遊技の間だけ高確率とするビッグボーナス、
内部当籤役決定手段が決定した内部当籤役に関する情報を遊技者による表示停止指令手段の操作より以前に報知する内部当籤役ナビゲート機能、
停止パターン選択手段が選択した停止パターンに関する情報を遊技者による表示停止指令手段の操作より以前に報知する押順ナビゲート機能、並びに、
遊技者にとって有利となる遊技手順を報知する遊技手順ナビゲート機能。
【０１５４】
例えば、上述の内部当籤役ナビゲート機能は、左リール、中リール、右リールに対応する左、中、右リール停止ボタンを停止操作する以前に報知されるリール停止パターン（例えば、最初に左リールを停止し、次に中リールを停止、最後に右リールを停止するパターン、同様に左リール停止→右リール停止→中リール停止のパターン、中リール停止→右リール停止→左リール停止のパターン、中リール停止→左リール停止→右リール停止のパターン、右リール停止→左リール停止→中リール停止のパターン、右リール停止→中リール停止→左リール停止のパターンの６種類等）にしたがって、左、中、右リール停止ボタンを停止操作することで変動表示手段に所定の入賞態様が得られるリール停止ナビゲート機能等を含む。リール停止ナビゲート機能は全てのリール（リール以外で図柄を可変表示する画像表示手段も含まれる）の停止順序をナビゲートしなくても、所定回目（例えば、最初、２番目、３番目等）に停止させるリールを遊技者に報知するようなナビゲート機能も含む。また、所定回目に停止させるリールに所定の図柄が表示されている状態でリールを停止させた場合に変動表示手段に所定の入賞態様が得られるものも含む。遊技者による表示停止指令手段からの停止指令信号の出力から最小移動（又は略最小変動）で図柄を停止させる機能や、遊技媒体の投入無しで１単位遊技の遊技を開始できるリプレイも含む。
【０１５５】
また、１回の単位遊技は、例えば次のようなもののうち何れかを適用してもよい。遊技開始指令手段からの遊技開始指令信号の出力から遊技結果の表示まで。スタートレバーの操作から変動表示手段（所定の表示手段）に遊技結果が表示されるまで。スタートレバーの操作から所定の表示手段に特定の表示（例えば、特定の文字情報、特定のキャラクタ、特定の画像）が表示されるまで。ベットボタンが遊技者により操作されたこと、または遊技メダルが遊技者により投入されたこと、等により遊技開始指令信号を出力するように構成し、ベットボタンの操作または遊技メダルの投入から変動表示手段に遊技結果が表示されるまで。ベットボタンが遊技者により操作されたこと、または遊技メダルが遊技者により投入されたこと、等により遊技開始指令信号を出力するように構成し、ベットボタンの操作または遊技メダルの投入から所定の表示手段に特定の表示が表示されるまで。遊技開始指令信号を出力する図柄始動手段が遊技媒体（例えば遊技球）の入賞または通過を検出してから変動表示手段（所定の表示手段）に遊技結果が表示されるまで。遊技開始指令信号を出力する図柄始動手段が遊技媒体の入賞または通過を検出してから所定の表示手段に特定の表示（例えば、特定の文字情報、特定のキャラクタ、特定の画像）が表示されるまで。また、複数単位遊技は、連続的または間欠的な複数回の単位遊技を適用してもよい。
【０１５６】
本実施形態においては、本発明の遊技機がパチスロ遊技装置である場合について説明したが、本発明の遊技機としては、例えば、スロットマシン、パチンコ遊技装置等を挙げることができる。
【０１５７】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明の実施の形態に記載されたものに限定されるものではない。
【図面の簡単な説明】
【０１５８】
【図１】本実施形態のパチスロ遊技装置を模式的に示す斜視図である。
【図２】ミニゲームを模式的に示す説明図である。
【図３】キャビネットの扉体が開いた状態を模式的に示す斜視図である。
【図４】鉢巻リールの駆動機構を模式的に示す平面図である。
【図５】図４に示した駆動機構の側面図である。
【図６】図４に示した駆動機構の鉢巻リールを移動するときの様子を示す側面図である。
【図７】遊技リールの駆動機構を模式的に示す平面図である。
【図８】図７に示した駆動機構の側面図である。
【図９】主制御回路のブロック図である。
【図１０】副制御回路のブロック図である。
【図１１】（ａ）は、鉢巻リール交換装置のブロック図であり、（ｂ）は、リール着脱装置のブロック図であり、（ｃ）は、リール搬送装置のブロック図である。
【図１２】メインルーチンを示すフローチャートである。
【図１３】遊技処理のサブルーチンを示すフローチャートである。
【図１４】鉢巻リール交換処理のサブルーチンを示すフローチャートである。
【図１５】遊技リール交換処理のサブルーチンを示すフローチャートである。
【図１６】ボーナスゲーム（ＢＢ）処理のサブルーチンを示すフローチャートである。
【図１７】ボーナスゲーム（ＲＢ）処理のサブルーチンを示すフローチャートである。
【図１８】リプレイタイム処理のサブルーチンを示すフローチャートである。
【図１９】ミニゲーム処理のサブルーチンを示すフローチャートである。
【図２０】ミニゲーム表示処理のサブルーチンを示すフローチャートである。
【符号の説明】
【０１５９】
１  パチスロ遊技装置
２  キャビネット
２ａ  リール表示窓
３Ｌ・３Ｃ・３Ｒ  リール
５  液晶表示装置
６  スタートレバー
２４  扉体
２５  筐体
２５ａ  第１中底板
２５ｂ  第２中底板
２８（２８ａ、２８ｂ）  鉢巻リール
２９  鉢巻リール表示窓
４９（４９Ｌ、４９Ｃ、４９Ｒ）、５９  ステッピングモータ
５９ａ  回転軸
７１  主制御回路
７２  副制御回路
１００  鉢巻リール交換装置
１０１  基台
１０２  昇降部
１０３  旋回アーム
１１０（１１０Ｌ、１１０Ｃ、１１０Ｒ）  リール設置台
１１１（１１１Ｌ、１１１Ｒ）  固定軸
２００  リール搬送装置
２０１  移動棹
２１０（２１０Ｆ、２１０Ｂ）  リール載置台
２２０  モータボックス
２５０  リール着脱装置
２５１  回転部
２５２  延長アーム
２５３  把持部
【図１】
2009005917.tif 000003
【図２】
2009005917.tif 000004
【図３】
2009005917.tif 000005
【図４】
2009005917.tif 000006
【図５】
2009005917.tif 000007
【図６】
2009005917.tif 000008
【図７】
2009005917.tif 000009
【図８】
2009005917.tif 000010
【図９】
2009005917.tif 000011
【図１０】
2009005917.tif 000012
【図１１】
2009005917.tif 000013
【図１２】
2009005917.tif 000014
【図１３】
2009005917.tif 000015
【図１４】
2009005917.tif 000016
【図１５】
2009005917.tif 000017
【図１６】
2009005917.tif 000018
【図１７】
2009005917.tif 000019
【図１８】
2009005917.tif 000020
【図１９】
2009005917.tif 000021
【図２０】
2009005917.tif 000022